(57)【要約】【課題】本発明は、特定の空間を共有する複数のユーザそれぞれに対して、より適切な広告情報を提供することを目的とする。【解決手段】広告配信システムは、特定の目的を有する複数のユーザによって共有される特定の空間に存在する各ユーザに対して広告情報を提供する。この広告配信システムにおいて、情報処理装置が、特定の目的と関連する特定の空間の属性と、特定の目的と関連する各ユーザの属性と、に基づいて、各ユーザ向けの広告情報を生成する。また、特定の空間に設けられた広告分配装置が、各ユーザ向けの広告情報を情報処理装置から受信すると共に、受信した前記広告情報を、その提供対象であるユーザに関連付いたユーザ端末に送信する。【選択図】図１
2020061097.tif 000002
【特許請求の範囲】
【請求項１】
特定の目的を有する複数のユーザによって共有される特定の空間に存在する各ユーザに対して広告情報を提供する広告配信システムであって、
前記特定の目的と関連する前記特定の空間の属性と、前記特定の目的と関連する各ユーザの属性とに基づいて、各ユーザ向けの広告情報を生成する情報処理装置と、
前記特定の空間に設けられ、各ユーザに向けの前記広告情報を前記情報処理装置から受信すると共に、受信した前記広告情報を、その提供対象であるユーザに関連付いたユーザ端末に送信する広告分配装置と、
を備える広告配信システム。
【請求項２】
前記情報処理装置は、
前記特定の空間の属性に関する情報を前記広告分配装置から受信し、
各ユーザの属性に関する情報を、各ユーザに関連付いた前記ユーザ端末から前記広告分配装置を介して受信する、
請求項１に記載の広告配信システム。
【請求項３】
請求項１または２に記載の広告配信システムに用いられる情報処理装置であって、
前記特定の目的と関連する前記特定の空間の属性と、前記特定の目的と関連する各ユーザの属性とに基づいて、各ユーザ向けの広告情報を生成することと、
各ユーザ向けの前記広告情報を前記広告分配装置に送信することと、
を実行する第１制御部を備える情報処理装置。
【請求項４】
請求項１または２に記載の広告配信システムに用いられる広告分配装置であって、
前記情報処理装置から各ユーザ向けの前記広告情報を受信することと、
受信した前記広告情報を、その提供対象であるユーザに関連付いたユーザ端末に送信することと、
を実行する第２制御部を備える広告分配装置。
【発明の詳細な説明】
【技術分野】
【０００１】
本発明は、ユーザに広告情報を提供するための、広告配信システム、情報処理装置、および広告分配装置に関する。
【背景技術】
【０００２】
特許文献１には、ユーザに広告情報を提供する広告提供手段を有する情報処理装置に関する技術が開示されている。この特許文献１に係る情報処理装置では、ユーザの移動案内に用いられる地図情報に含まれる地点の広告情報を広告情報取得手段によって取得する。さらに、広告情報取得手段によって取得した広告情報から、ユーザの分類、現在の日時、および該ユーザの現在位置に基づいて、広告提供手段によって該ユーザに提供する対象となる広告情報を抽出する。
【先行技術文献】
【特許文献】
【０００３】
【特許文献１】特開２０１８−４８７８号公報
【発明の概要】
【発明が解決しようとする課題】
【０００４】
本発明は、特定の空間を共有する複数のユーザそれぞれに対して、より適切な広告情報を提供することを目的とする。
【課題を解決するための手段】
【０００５】
本発明の第１の態様に係る広告配信システムは、
特定の目的を有する複数のユーザによって共有される特定の空間に存在する各ユーザに対して広告情報を提供する広告配信システムであって、
前記特定の目的と関連する前記特定の空間の属性と、前記特定の目的と関連する各ユーザの属性とに基づいて、各ユーザ向けの広告情報を生成する情報処理装置と、
前記特定の空間に設けられ、各ユーザ向けの前記広告情報を前記情報処理装置から受信すると共に、受信した前記広告情報を、その提供対象であるユーザに関連付いたユーザ端末に送信する広告分配装置と、
を備える。
【０００６】
本発明の第２の態様に係る情報処理装置は、
本発明の第１の態様に係る広告配信システムに用いられる情報処理装置であって、
前記特定の目的と関連する前記特定の空間の属性と、前記特定の目的と関連する各ユーザの属性とに基づいて、各ユーザ向けの広告情報を生成することと、
各ユーザ向けの前記広告情報を前記広告分配装置に送信することと、
を実行する第１制御部を備える。
【０００７】
本発明の第３の態様に係る広告分配装置は、
本発明の第１の態様に係る広告配信システムに用いられる広告分配装置であって、
前記情報処理装置から各ユーザ向けの前記広告情報を受信することと、
受信した前記広告情報を、その提供対象であるユーザに関連付いたユーザ端末に送信することと、
を実行する第２制御部を備える。
【発明の効果】
【０００８】
本発明によれば、特定の空間を共有する複数のユーザそれぞれに対して、より適切な広告を提供することができる。
【図面の簡単な説明】
【０００９】
【図１】第１実施形態に係る広告配信システムの概略構成を示す図である。
【図２】広告配信システムを構成するユーザ端末、広告分配装置、および管理サーバそれぞれの機能構成の一例を概略的に示すブロック図である。
【図３】ユーザ端末において、入出力部のタッチパネルディスプレイに表示される操作画面の一例を示す図である。
【図４】広告配信システムにおいて、各ユーザに対して広告情報を配信する際に行われる処理およびデータの流れを示すシーケンス図である。
【図５】車両情報のテーブル構成の一例を示すである。
【図６】ユーザ情報のテーブル構成の一例を示すである。
【図７】広告情報のテーブル構成の一例を示すである。
【図８】第２実施形態に係る広告配信システムの概略構成を示す図である。
【図９】施設情報のテーブル構成の一例を示す図である。
【図１０】ユーザ情報のテーブル構成の一例を示す図である。
【図１１】広告情報のテーブル構成の一例を示す図である。
【発明を実施するための形態】
【００１０】
本発明の第１の態様に係る広告配信システムは、特定の目的を有する複数のユーザによって共有される特定の空間に存在する各ユーザに対して広告情報を提供する。ここで、「特定の空間」としては、特定の場所への移動を目的とする複数のユーザによって共有される車両内の空間や、特定のイベントへの参加を目的とする複数のユーザによって共有される施設内の空間等を例示することができる。
【００１１】
本発明に係る広告配信システムは、情報処理装置と、広告分配装置と、を備える。情報処理装置は、複数のユーザに共通する特定の目的と関連する特定の空間の属性と、該特定の目的と関連する各ユーザの属性とに基づいて、各ユーザ向けの広告情報を生成する。つまり、情報処理装置は、特定の空間を共有する複数のユーザそれぞれに応じた広告情報を生成する。ここで、例えば、「特定の空間」が、特定の場所への移動を目的とする複数のユーザによって共有される車両内の空間である場合は、該複数のユーザの目的地（すなわち、車両の目的地）である該特定の場所が「特定の空間の属性」となり得る。また、「特定の空間」が、特定のイベントへの参加を目的とする複数のユーザによって共有される施設内の空間である場合は、該複数のユーザが参加することを目的とする特定のイベント（すなわち、施設において開催されるイベント）が、「特定の空間の属性」となり得る。また、複数のユーザそれぞれの個別の目的や嗜好等が、「各ユーザの属性」となり得る。
【００１２】
上記のとおり、情報処理装置は、特定の空間に存在する各ユーザ向けの広告情報を生成する。そして、情報処理装置は、生成した広告情報を、特定の空間に設けられた広告分配装置に送信する。そして、広告分配装置は、情報処理装置から受信した広告情報を、特定の空間に存在する複数のユーザのうちの該広告情報の提供対象であるユーザに関連付いたユーザ端末に送信する。これにより、情報処理装置において各ユーザ向けに生成された広告情報が、広告分配装置を介して、その提供対象であるユーザに対して分配される。なお、ユーザ端末は、各ユーザが所持する端末でもよく、また、特定の空間内においてユーザ毎に利用が可能なように設置された端末であってもよい。
【００１３】
ここで、特定の空間を共有する複数のユーザに対して広告情報を提供しようとした場合、従来では、単に、該特定の空間の属性に応じた共通の広告情報が該複数のユーザに対して一律に提供される傾向にある。しかしながら、このような場合、各ユーザに提供される
広告情報に対してユーザ毎の属性が十分には反映されない虞がある。一方で、特定の空間を共有する複数のユーザに対して、単に、ユーザ毎の属性に応じた広告情報が提供された場合、特定の空間に存在している各ユーザに対して、該特定の空間の属性とは関連性が低い広告情報が提供される虞がある。
【００１４】
これに対し、本発明の第一の態様に係る広告配信システムによれば、特定の空間を共有する複数のユーザそれぞれに対して、特定の空間の属性と関連性が高く、且つ、ユーザ毎の属性が十分には反映された広告情報を提供することができる。つまり、各ユーザにとってより関心の高い広告情報をユーザ毎に提供することが可能となる。
【００１５】
また、上記のように、本発明の第一の態様に係る広告配信システムによれば、情報処理装置によって生成された各ユーザ向けの広告情報が、特定の空間に設けられた広告分配装置を介して各ユーザに分配される。これにより、各ユーザ向けの広告情報を、特定の空間に存在している各ユーザに対して適切なタイミングで提供することができる。
【００１６】
以下、本発明の具体的な実施形態について図面に基づいて説明する。本実施例に記載されている構成部品の寸法、材質、形状、その相対配置等は、特に記載がない限りは発明の技術的範囲をそれらのみに限定する趣旨のものではない。
【００１７】
＜第１実施形態＞
ここでは、観光バスに乗車している複数のユーザに広告情報を提供するための広告配信システムに本発明を適用した場合の実施形態について説明する。この場合、特定の旅行先への移動を目的とする複数のユーザによって共有される車両（観光バス）内の空間が、本発明に係る「特定の空間」に相当する。
【００１８】
（システムの概略）
図１は、本実施形態に係る広告配信システムの概略構成を示す図である。図１における車両１０は複数のユーザが乗車している観光バスである。広告配信システム１は、車両１０に乗車している複数のユーザそれぞれが所持するユーザ端末２００、該車両１０に搭載された広告分配装置１００、および、管理サーバ３００を含んで構成される。
【００１９】
ユーザ端末２００は、プロセッサ、主記憶部、補助記憶部と、を有するコンピュータを含んで構成される。ユーザ端末２００としては、スマートフォン、タブレットコンピュータ、モバイルコンピュータ、ウェアラブルコンピュータ、ワイヤレスストレージ、携帯電話、ハンディターミナル等を例示することができる。なお、ユーザ端末２００は、必ずしもユーザが所持する端末である必要はなく、例えば、車両１０内において各ユーザ用として座席毎に設置されている端末であってもよい。
【００２０】
また、車両１０においては、各ユーザ端末２００と広告分配装置１００とが近距離無線通信によって互いに接続される。広告分配装置１００は、後述するように各ユーザ向けに生成された広告情報を、車両１０に乗車している複数のユーザのうち該広告情報の提供対象であるユーザに分配する機能を有している。具体的には、管理サーバ３００において生成された広告情報を受信するとともに、受信した該広告情報を、その提供対象であるユーザのユーザ端末２００に送信する。広告分配装置１００は、プロセッサ、主記憶部、補助記憶部と、を有するコンピュータを含んで構成されてもよく、また、ゲートウェイとしての機能を有する器機を含んで構成されてもよい。
【００２１】
また、広告配信システム１においては、広告分配装置１００と、管理サーバ３００とが、ネットワークＮ１によって相互に接続される。ネットワークＮ１には、例えば、インターネット等の世界規模の公衆通信網であるＷＡＮ（Ｗｉｄｅ  Ａｒｅａ  Ｎｅｔｗｏｒｋ
）や、携帯電話等の電話通信網が採用されてもよい。
【００２２】
管理サーバ３００は、様々な広告情報を管理するためのサーバ装置である。管理サーバ３００は、一般的なコンピュータを含んで構成される。管理サーバ３００を構成するコンピュータは、ＣＰＵやＤＳＰ等のプロセッサ３０１と、読み込み専用メモリ（ＲＯＭ）、ランダムアクセスメモリ（ＲＡＭ）等の主記憶部３０２と、ＥＰＲＯＭ、ハードディスクドライブ（ＨＤＤ）、リムーバブルメディア等の補助記憶部３０３と、を備えている。ここで、リムーバブルメディアは、例えば、ＵＳＢメモリやＳＤカード等のフラッシュメモリ、あるいは、ＣＤ−ＲＯＭやＤＶＤディスク、ブルーレイディスクのようなディスク記録媒体である。
【００２３】
管理サーバ３００において、補助記憶部３０３には、オペレーティングシステム（ＯＳ）、各種プログラム、各種情報テーブル等が格納されている。また、管理サーバ３００において、プロセッサ３０１が、補助記憶部３０３に記憶されたプログラムを主記憶部３０２にロードして実行することによって、後述するような各種の機能を実現することができる。ただし、管理サーバ３００における一部または全部の機能はＡＳＩＣやＦＰＧＡのようなハードウェア回路によって実現されてもよい。なお、管理サーバ３００は、必ずしも単一の物理的構成によって実現される必要はなく、互いに連携する複数台のコンピュータによって構成されてもよい。
【００２４】
管理サーバ３００は、車両１０に乗車している各ユーザに提供する広告情報を生成する。そして、生成した広告情報を、ネットワークＮ１を介して広告分配装置１００に送信する。
【００２５】
（システム構成）
次に、本実施形態に係る広告配信システム１を構成するユーザ端末２００、広告分配装置１００、および管理サーバ３００それぞれの機能構成について図２に基づいて説明する。図２は、本実施形態に係る広告配信システム１を構成するユーザ端末２００、広告分配装置１００、および管理サーバ３００それぞれの機能構成の一例を概略的に示すブロック図である。
【００２６】
（ユーザ端末）
ユーザ端末２００は、制御部２１０、入出力部２２０、および近距離通信部２３０を有している。制御部２１０は、ユーザ端末２００を制御するための演算処理を行う機能を有する。制御部２１０は、プロセッサによって実現することができる。また、プロセッサが、補助記憶部に記憶されたプログラムを主記憶部にロードして実行することによって、制御部２１０による各種の処理を実現することができる。
【００２７】
また、入出力部２２０は、ユーザによって行われる入力操作を受け付ける機能、および、ユーザに対して情報を提示する機能を有する。具体的には、入出力部２２０はタッチパネルディスプレイを含んで構成される。そして、ユーザ端末２００においては、制御部２１０が所定のアプリケーションを作動させることで、入出力部２２０のタッチパネルディスプレイに対してユーザが入力操作を行うことが可能となる。ユーザは、入出力部２２０のタッチパネルディスプレイに対して入力操作を行うことで、ユーザ情報を入力することができる。
【００２８】
図３は、ユーザ端末２００において、所定のアプリケーションが作動されることで、入出力部２２０のタッチパネルディスプレイ２２０ａに表示される操作画面の一例を示す図である。図３に示す操作画面では、ユーザの旅行目的が入力可能となっている（図３では、旅行目的として「食べ歩き」が選択されている。）。つまり、ここでは、ユーザ端末２
００を所持するユーザの旅行目的が、該ユーザについてのユーザ情報として入出力部２２０に入力される。なお、図３に示す操作画面において、ユーザの旅行目的が複数選択された場合は、該複数の旅行目的がユーザ情報として入力されてもよい。
【００２９】
また、入出力部２２０のタッチパネルディスプレイ２２０ａには、各ユーザ端末２００を所持する各ユーザ向けの広告情報が表示される。制御部２１０は、入出力部２２０のタッチパネルディスプレイ２２０ａに広告情報を表示する処理を行う。
【００３０】
また、近距離通信部２３０は、所定の無線通信規格を用いて、広告分配装置１００と通信を行う装置である。近距離通信部２３０による通信に利用できる通信規格としては、Ｂｌｕｅｔｏｏｔｈ（登録商標）ＬｏｗＥｎｅｒｇｙ規格、ＷｉＦｉ（登録商標）等を例示することができる。制御部２１０は、近距離通信部２３０を介して広告分配装置１００から広告情報を受信する処理を行う。また、制御部２１０は、後述するように、ユーザが入出力部２２０に対して入力したユーザ情報を近距離通信部２３０を介して広告分配装置１００に送信する処理を行う。
【００３１】
（広告分配装置）
広告分配装置１００は、制御部１１０、通信部１２０、および近距離通信部１３０を有している。制御部１１０は、広告分配装置１００を制御するための演算処理を行う機能を有する。制御部１１０は、ユーザ端末２００の制御部２１０と同様、プロセッサによって実現することができる。
【００３２】
また、近距離通信部１３０は、ユーザ端末２００の近距離通信部２３０と同一の通信規格によって、該ユーザ端末２００と通信を行う装置である。また、通信部１２０は、広告分配装置１００をネットワークＮ１に接続するための通信装置である。通信部１２０は、例えば３Ｇ（３ｒｄ  Ｇｅｎｅｒａｔｉｏｎ）やＬＴＥ（Ｌｏｎｇ  Ｔｅｒｍ  Ｅｖｏｌｕｔｉｏｎ）等の移動体通信サービスを利用して、ネットワークＮ１経由で、管理サーバ３００を含む他の装置と通信を行うことができる。
【００３３】
制御部１１０は、ユーザ端末２００から送信されたユーザ情報を近距離通信部２３０を介して受信する処理を行う。さらに、制御部１１０は、ユーザ端末２００から受信したユーザ情報を通信部１２０を介して管理サーバ３００に送信する処理を行う。また、制御部１１０は、後述するように、広告分配装置１００が設けられている車両１０に関する車両情報を通信部１２０を介して管理サーバ３００に送信する処理を行う。また、制御部１１０は、管理サーバ３００から送信された広告情報を通信部１２０を介して受信する処理を行う。さらに、制御部１１０は、管理サーバ３００から受信した広告情報を、該広告情報の提供対象であるユーザのユーザ端末２００に近距離通信部１３０を介して送信する処理を行う。
【００３４】
（管理サーバ）
管理サーバ３００は、制御部３１０、通信部３２０、および広告情報データベース（広告情報ＤＢ）３３０を有している。制御部３１０は、管理サーバ３００を制御するための演算処理を行う機能を有する。制御部３１０は、プロセッサ３０１によって実現することができる。また、プロセッサ３０１が、補助記憶部３０３に記憶されたプログラムを主記憶部３０２にロードして実行することによって、制御部３１０による各種の処理を実現することができる。例えば、制御部１１０は、広告分配装置１００から受信した車両情報、および、各ユーザに関するユーザ情報を用いて、各ユーザ向けの広告情報を生成する処理（以下、「広告情報生成処理」と称する場合もある。）を行う。
【００３５】
また、通信部３２０は、管理サーバ３００をネットワークＮ１に接続するための通信装
置である。通信部３２０は、例えばＬＡＮ（Ｌｏｃａｌ  Ａｒｅａ  Ｎｅｔｗｏｒｋ）インターフェースボードや、無線通信のための無線通信回路を含んで構成される。制御部３１０は、ユーザ端末２００から送信されたユーザ情報および車両情報を通信部３２０を介して受信する処理を行う。さらに、制御部３１０は、広告情報生成処理によって生成された広告情報を通信部３２０を介して広告分配装置１００に送信する処理を行う。
【００３６】
また、管理サーバ３００においては、補助記憶部３０３に広告情報ＤＢ３３０が構築されている。広告情報ＤＢ３３０には、車両１０に乗車している各ユーザに提供すべき広告情報を含む様々な広告情報が格納されている。制御部３１０は、広告情報生成処理において、各ユーザ向けの広告情報を、広告情報ＤＢ３３０に格納されている広告情報から抽出する。
【００３７】
（システムの動作）
次に、本実施形態に係る広告配信システム１において、各ユーザに対して広告情報を配信するために行われる動作について、図４から図７に基づいて説明する。図４は、広告配信システム１において、各ユーザに対して広告情報を配信する際に行われる処理およびデータの流れを示すシーケンス図である。図５は、広告分配装置１００から管理サーバ３００に送信される車両情報のテーブル構成の一例を示す図である。図６は、ユーザ端末２００から広告分配装置１００に送信されるユーザ情報のテーブル構成の一例を示す図である。図７は、管理サーバ３００から広告分配装置１００に送信される広告情報のテーブル構成の一例を示す図である。
【００３８】
広告配信システム１においては、広告分配装置１００から管理サーバ３００に対して、図５に示すような車両情報が送信される（Ｓ１０１）。図５に示すように、車両情報テーブルは、車両ＩＤフィールドおよび目的地情報フィールドを有する。車両ＩＤフィールドには、広告分配装置１００が搭載されている車両１０を特定するための識別情報である車両ＩＤが入力される。目的地情報フィールドには、車両１０の目的地（すなわち、車両１０に乗車している複数のユーザの目的地）が入力される。ここで、本実施形態においては、車両情報テーブルの目的地情報フィールドに入力される車両１０の目的地が、本発明に係る「特定の空間の属性」に相当する。なお、広告分配装置１００に対しては、車両１０の目的地についての目的地情報が予め入力されている。
【００３９】
また、上述したように、本実施形態では、ユーザ端末２００において、各ユーザの旅行目的がユーザ情報として入力される。これによって、ユーザ端末２００においては、ユーザ情報が取得される（Ｓ１０２）。そして、取得されたユーザ情報がユーザ端末２００から広告分配装置１００に送信される（Ｓ１０３）。図６に示すように、ユーザ端末２００から広告分配装置１００に送信されるユーザ情報のテーブルは、ユーザＩＤフィールドおよび旅行目的情報フィールドを有する。ユーザＩＤフィールドには、ユーザ端末２００を所持するユーザを特定するための識別情報であるユーザＩＤが入力される。旅行目的情報フィールドには、ユーザによって入力された該ユーザの旅行目的が入力される。ここで、本実施形態においては、ユーザ情報テーブルの旅行目的情報フィールドに入力される各ユーザの旅行目的が、本発明に係る「各ユーザの属性」に相当する。なお、広告分配装置１００には、各ユーザ端末２００から各ユーザについてのユーザ情報が送信される。
【００４０】
そして、広告分配装置１００は、ユーザ端末２００から受信したユーザ情報を管理サーバ３００に送信する（Ｓ１０４）。このとき、広告分配装置１００から管理サーバ３００に送信されるユーザ情報には、ユーザ端末２００を所持するユーザが乗車している車両１０の車両ＩＤ（図５に示す車両情報テーブルの車両ＩＤフィールドに入力される車両ＩＤ）が付加される。すなわち、各ユーザについてのユーザ情報が、車両１０と紐付けられた状態で、広告分配装置１００から管理サーバ３００に送信される。なお、このときに、広
告分配装置１００は、車両１０に乗車している複数のユーザそれぞれについてのユーザ情報を一旦収集し、収集した複数のユーザ分のユーザ情報に対して車両１０の車両ＩＤを付加した上で、該複数のユーザ分のユーザ情報を一括して管理サーバ３００に送信してもよい。
【００４１】
管理サーバ３００では、広告分配装置１００から受信した車両情報およびユーザ情報を用いて広告情報生成処理が行われる（Ｓ１０５）。上述したように、広告情報生成処理は、車両１０に乗車している各ユーザ向けの広告情報（複数のユーザそれぞれに応じた広告情報）を生成する処理である。具体的には、広告情報生成処理では、車両情報に含まれる車両１０の目的地、および、ユーザ情報に含まれる各ユーザの旅行目的に基づいて、各ユーザ向けの広告情報が個別に生成される。このとき、広告情報生成処理においては、広告情報ＤＢ３３０に格納されている様々な広告情報の中から各ユーザ向けの広告情報が抽出される。つまり、本実施形態に係る広告情報生成処理とは、換言すれば、車両１０に乗車している各ユーザと、広告情報ＤＢ３３０に格納されている様々な広告情報の中から抽出される各ユーザ向けの広告情報とを組み合わせる処理である。
【００４２】
例えば、ユーザ情報における旅行目的情報フィールドに「食べ歩き」と入力されている場合、広告情報生成処理においては、該ユーザ情報に対応するユーザ向けの広告情報として、車両１０の目的地（または目的地周辺）に存在する飲食店に関する広告情報が、広告情報ＤＢ３３０に格納されている様々な広告情報の中から抽出される。また、例えば、ユーザ情報における旅行目的情報フィールドに「旧跡観光」と入力されている場合、広告情報生成処理においては、該ユーザ情報に対応するユーザ向けの広告情報として、車両１０の目的地（または目的地周辺）に存在する旧跡観光地に関する広告情報が、広告情報ＤＢ３３０に格納されている様々な広告情報の中から抽出される。
【００４３】
そして、広告情報生成処理によって広告情報が生成されると、該広告情報が管理サーバ３００から広告分配装置１００に送信される（Ｓ１０６）。図７に示すように、管理サーバ３００から広告分配装置１００に送信される広告情報のテーブルは、車両ＩＤフィールド、ユーザＩＤフィールド、および広告情報フィールドを有する。車両ＩＤフィールドには、車両１０（すなわち、広告情報を送信すべき広告分配装置１００が搭載された車両）の車両ＩＤが入力される。この車両ＩＤフィールドに入力されている車両ＩＤに対応する車両に搭載された広告分配装置１００に広告情報が送信される。また、ユーザＩＤフィールドには、広告情報の提供対象であるユーザのユーザＩＤが入力される。広告情報フィールドには、ユーザＩＤフィールドに入力されているユーザＩＤに対応するユーザ向けに生成された広告情報が入力される。なお、このときに、管理サーバ３００は、車両１０に乗車している各ユーザ向けに生成された各広告情報を一括して広告分配装置１００に送信してもよい。ただし、この場合でも、各広告情報は、それぞれの提供対象であるユーザのユーザＩＤと紐づいた状態で広告分配装置１００に送信される。
【００４４】
そして、広告分配装置１００は、管理サーバ３００から受信した広告情報を、ユーザＩＤフィールドに入力されているユーザＩＤに対応するユーザのユーザ端末２００に送信する（Ｓ１０７）。これにより、管理サーバ３００における広告情報生成処理によって各ユーザ向けに生成された広告情報が、広告分配装置１００を介して、その提供対象であるユーザに対して分配されることになる。
【００４５】
ユーザ端末２００では、広告分配装置１００から広告情報を受信すると、広告表示処理が行われる（Ｓ１０８）。広告表示処理は、受信した広告情報を、入出力部２２０のタッチパネルディスプレイ２２０ａに表示する処理である。
【００４６】
上記の広告配信システム１によれば、車両１０に乗車している複数のユーザそれぞれに
対して、該車両１０の目的地と関連性が高く、且つ、ユーザ毎の旅行目的に応じた広告情報を提供することができる。つまり、車両１０に乗車している各ユーザにとってより関心の高い広告情報をユーザ毎に提供することが可能となる。
【００４７】
また、上記の広告配信システム１では、管理サーバ３００における広告情報生成処理によって生成された広告情報が、車両１０に搭載された広告分配装置１００を介して、該車両１０に乗車している各ユーザに分配される。これにより、車両１０に乗車している各ユーザ向けの広告情報を、該車両１０によって目的地に向かって移動している最中の各ユーザに対して提供することができる。ここで、各ユーザが車両１０によって目的地に向かって移動している最中は、該目的地および自身の旅行目的に対する各ユーザの関心が非常に高まっている。したがって、上記の広告配信システム１によれば、車両１０に乗車している各ユーザに対して、適切なタイミング（すなわち、広告効果が高いタイミング）で、各ユーザ向けの広告情報を提供することができる。
【００４８】
＜第２実施形態＞
次に、特定のイベントに参加している複数のユーザに広告情報を提供するための広告配信システムに本発明を適用した場合の実施形態について説明する。この場合、特定のイベントが開催されている施設（イベント会場）であって、該特定のイベントに参加することを目的とする複数のユーザによって共有される施設内の空間が、本発明に係る「特定の空間」に相当する。
【００４９】
（システムの概略）
図８は、本実施形態に係る広告配信システムの概略構成を示す図である。図８における施設４０は、特定のイベントが開催されている施設である。広告配信システム２は、施設４０で開催されているイベントに参加している複数のユーザそれぞれが所持するユーザ端末５００、該施設４０に設置された広告分配装置４００、および、管理サーバ３００を含んで構成される。なお、本実施形態に係る広告配信システム２を構成するユーザ端末５００および広告分配装置４００の機能構成は、それぞれ、第１実施形態に係る広告配信システム１を構成するユーザ端末２００および広告分配装置１００と同様である。また、管理サーバ３００は、第１実施形態に係る広告配信システム１を構成する管理サーバ３００と同様のサーバ装置である。
【００５０】
（システムの動作）
ここで、本実施形態に係る広告配信システム２において、各ユーザに対して広告情報を配信するために行われる動作について説明する。なお、ここでは、施設４０において開催されている特定のイベントに複数の出演者が出演することを前提とする。
【００５１】
広告配信システム２においては、広告分配装置４００から管理サーバ３００に対して、図９に示すような施設情報が送信される。図９は、広告分配装置４００から管理サーバ３００に送信される施設情報のテーブル構成の一例を示す図である。図９に示すように、広告分配装置４００から管理サーバ３００に送信される施設情報テーブルは、施設ＩＤフィールドおよびイベント情報フィールドを有する。施設ＩＤフィールドには、広告分配装置４００が設けられている施設４０を特定するための識別情報である施設ＩＤが入力される。イベント情報フィールドには、施設４０において開催されている特定のイベント（すなわち、複数のユーザが参加することを目的とするイベント）が入力される。ここで、本実施形態においては、施設情報テーブルのイベント情報フィールドに入力される特定のイベントが、本発明に係る「特定の空間の属性」に相当する。なお、広告分配装置４００に対しては、施設４０において開催される特定のイベントについてのイベント情報が予め入力されている。
【００５２】
また、本実施形態では、ユーザ端末５００において、施設４０において開催されている特定のイベントにおける複数の出演者のうちで各ユーザが特に注目する出演者（以下、「注目出演者」と称する場合もある。）がユーザ情報としてユーザによって入力される。そして、ユーザ端末５００に入力されたユーザ情報が、該ユーザ端末５００から広告分配装置４００に送信される。図１０は、ユーザ端末５００から広告分配装置４００に送信されるユーザ情報のテーブル構成の一例を示す図である。図１０に示すように、ユーザ端末５００から広告分配装置１００に送信されるユーザ情報のテーブルは、ユーザＩＤフィールドおよび注目出演者情報フィールドを有する。ユーザＩＤフィールドには、ユーザ端末５００を所持するユーザを特定するための識別情報であるユーザＩＤが入力される。注目出演者情報フィールドには、ユーザ端末５００に対してユーザによって入力された該ユーザの注目出演者が入力される。ここで、本実施形態においては、ユーザ情報テーブルの注目出演者情報フィールドに入力される各ユーザの注目出演者が、本発明に係る「各ユーザの属性」に相当する。なお、広告分配装置４００には、各ユーザ端末５００から各ユーザについてのユーザ情報が送信される。
【００５３】
そして、広告分配装置４００は、ユーザ端末５００から受信したユーザ情報を管理サーバ３００に送信する。このとき、広告分配装置４００から管理サーバ３００に送信されるユーザ情報には、ユーザ端末５００を所持するユーザが参加している特定のイベントが開催されている施設４０の施設ＩＤ（図９に示す施設情報テーブルの施設ＩＤフィールドに入力される施設ＩＤ）が付加される。すなわち、各ユーザについてのユーザ情報が、施設４０と紐付けられた状態で、広告分配装置４００から管理サーバ３００に送信される。なお、このときに、広告分配装置４００は、施設４０において特定のイベントに参加している複数のユーザそれぞれについてのユーザ情報を一旦収集し、収集した複数のユーザ分のユーザ情報に対して施設４０の施設ＩＤを付加した上で、該複数のユーザ分のユーザ情報を一括して管理サーバ３００に送信してもよい。
【００５４】
管理サーバ３００では、広告分配装置４００から受信した施設情報およびユーザ情報を用いて広告情報生成処理が行われる。ここでの広告情報生成処理は、施設４０において特定のイベントに参加している各ユーザ向けの広告情報を生成するための処理である。具体的には、広告情報生成処理では、施設情報に含まれる特定のイベント、および、ユーザ情報に含まれる各ユーザの注目出演者に基づいて、各ユーザ向けの広告情報が個別に生成される。このとき、広告情報生成処理においては、広告情報ＤＢ３３０に格納されている様々な広告情報の中から各ユーザ向けの広告情報が抽出される。つまり、本実施形態に係る広告情報生成処理とは、換言すれば、施設４０において特定のイベントに参加している各ユーザと、広告情報ＤＢ３３０に格納されている様々な広告情報の中から抽出される各ユーザ向けの広告情報とを組み合わせる処理である。
【００５５】
例えば、ユーザ情報における注目出演者情報フィールドに「出演者Ａ」と入力されている場合は、広告情報生成処理においては、該ユーザ情報に対応するユーザ向けの広告情報として、施設４０において開催されている特定のイベントに関連する出演者Ａに関する広告情報が、広告情報ＤＢ３３０に格納されている様々な広告情報から抽出される。
【００５６】
そして、広告情報生成処理によって広告情報が生成されると、該広告情報が管理サーバ３００から広告分配装置４００に送信される。図１１は、管理サーバ３００から広告分配装置４００に送信される広告情報のテーブル構成の一例を示す図である。図１１に示すように、管理サーバ３００から広告分配装置４００に送信される広告情報のテーブルは、施設ＩＤフィールド、ユーザＩＤフィールド、および広告情報フィールドを有する。施設ＩＤフィールドには、施設４０（すなわち、広告情報を送信すべき広告分配装置４００が設置されている施設）の施設ＩＤが入力される。この施設ＩＤフィールドに入力されている施設ＩＤに対応する施設に設置された広告分配装置４００に広告情報が送信される。また
、図７に示す第１実施形態に係る広告情報と同様、ユーザＩＤフィールドには、広告情報の提供対象であるユーザのユーザＩＤが入力される。広告情報フィールドには、ユーザＩＤフィールドに入力されているユーザＩＤに対応するユーザ向けに生成された広告情報が入力される。なお、このときに、管理サーバ３００は、施設４０において特定のイベントに参加している各ユーザ向けに生成された各広告情報を一括して広告分配装置４００に送信してもよい。ただし、この場合でも、各広告情報は、それぞれの提供対象であるユーザのユーザＩＤと紐づいた状態で広告分配装置４００に送信される。
【００５７】
そして、広告分配装置４００は、管理サーバ３００から受信した広告情報を、ユーザＩＤフィールドに入力されているユーザＩＤに対応するユーザのユーザ端末５００に送信する。これにより、管理サーバ３００における広告情報生成処理によって各ユーザ向けに生成された広告情報が、広告分配装置４００を介して、その提供対象であるユーザに対して分配されることになる。そして、ユーザ端末５００では、第１実施形態に係るユーザ端末２００と同様、受信した広告情報を入出力部のタッチパネルディスプレイに表示する広告表示処理が行われる。
【００５８】
上記の広告配信システム２によれば、施設４０において特定のイベントに参加している複数のユーザそれぞれに対して、該特定のイベントと関連性が高く、且つ、ユーザ毎の注目出演者に応じた広告情報を提供することができる。つまり、特定のイベントに参加している各ユーザにとってより関心の高い広告情報をユーザ毎に提供することが可能となる。
【００５９】
また、上記の広告配信システム２では、管理サーバ３００における広告情報生成処理によって生成された広告情報が、施設４０に設置された広告分配装置４００を介して、特定のイベントに参加している各ユーザに分配される。これにより、施設４０において特定のイベントに参加している最中の各ユーザに対して、各ユーザ向けの広告情報を提供することができる。したがって、上記の広告配信システム２によれば、施設４０において特定のイベントに参加している各ユーザに対して、適切なタイミング（すなわち、広告効果が高いタイミング）で、各ユーザ向けの広告情報を提供することができる。
【００６０】
＜その他の実施形態＞
上記の実施形態はあくまでも一例であって、本発明はその要旨を逸脱しない範囲内で適宜変更して実施し得る。例えば、特定の試験のための予備校に所属している複数の生徒（ユーザ）に広告情報を提供するための広告配信システムに本発明を適用することもできる。この場合、特定の試験を受験することを目的とする複数の生徒によって共有される予備校の施設（校舎）内の空間が、本発明に係る「特定の空間」に相当する。また、「特定の試験」が、本発明に係る「特定の空間の属性」に相当する。また、各生徒が特定の試験において選択する試験科目等が、本発明に係る「各ユーザの属性」となり得る。
【００６１】
また、本開示において説明した処理や手段は、技術的な矛盾が生じない限りにおいて、自由に組み合わせて実施することができる。また、１つの装置が行うものとして説明した処理が、複数の装置によって分担して実行されてもよい。あるいは、異なる装置が行うものとして説明した処理が、１つの装置によって実行されても構わない。コンピュータシステムにおいて、各機能をどのようなハードウェア構成（サーバ構成）によって実現するかは柔軟に変更可能である。
【００６２】
本発明は、上記の実施形態で説明した機能を実装したコンピュータプログラムをコンピュータに供給し、当該コンピュータが有する１つ以上のプロセッサがプログラムを読み出して実行することによっても実現可能である。このようなコンピュータプログラムは、コンピュータのシステムバスに接続可能な非一時的なコンピュータ可読記憶媒体によってコンピュータに提供されてもよいし、ネットワークを介してコンピュータに提供されてもよ
い。非一時的なコンピュータ可読記憶媒体は、例えば、磁気ディスク（フロッピー（登録商標）ディスク、ハードディスクドライブ（ＨＤＤ）等）、光ディスク（ＣＤ−ＲＯＭ、ＤＶＤディスク、ブルーレイディスク等）など任意のタイプのディスク、読み込み専用メモリ（ＲＯＭ）、ランダムアクセスメモリ（ＲＡＭ）、ＥＰＲＯＭ、ＥＥＰＲＯＭ、磁気カード、フラッシュメモリ、光学式カード、電子的命令を格納するために適した任意のタイプの媒体を含む。
【符号の説明】
【００６３】
１、２・・・広告配信システム
１０・・車両
１００、４００・・広告分配装置
１１０、２１０、３１０・・制御部
１２０、３２０・・通信部
１３０、２３０・・近距離通信部
２００、５００・・ユーザ端末
２２０・・入出力部
３００・・管理サーバ
４０・・施設
【図１】
2020061097.tif 000003
【図２】
2020061097.tif 000004
【図３】
2020061097.tif 000005
【図４】
2020061097.tif 000006
【図５】
2020061097.tif 000007
【図６】
2020061097.tif 000008
【図７】
2020061097.tif 000009
【図８】
2020061097.tif 000010
【図９】
2020061097.tif 000011
【図１０】
2020061097.tif 000012
【図１１】
2020061097.tif 000013